(57)【要約】【課題】ケーブルの絡まりを防止しつつ簡便に余長を保持することにより、余長の有効活用を可能にし、資源の有効活用及びネットワーク構築コストを低減することができる、８の字巻きしたケーブルを収納するケーブル用収納箱及びこれを用いた余長収納方法を提供する。【解決手段】ケーブル用収納箱１１は、８の字巻きしたケーブル１５を収納するものであって、外側面１２ａに、余分に引き出された余長ケーブル１５Ｂを巻き付け可能な複数の突起部２０が設けられている。【選択図】図３
2010168092.tif 000002
【特許請求の範囲】
【請求項１】
８の字巻きしたケーブルを収納するケーブル用収納箱であって、
外側面の少なくとも一つに、余分に引き出された余長ケーブルを巻き付け可能な複数の突起部が設けられていることを特徴とするケーブル用収納箱。
【請求項２】
請求項１に記載のケーブル用収納箱であって、
前記突起部は、前記外側面に施された切れ目を起こした切り起こし部からなることを特徴とするケーブル用収納箱。
【請求項３】
請求項２に記載のケーブル用収納箱であって、
前記突起部は、立体的に折り曲げられた前記切り起こし部の一部が前記外側面に形成されたスリットまたは孔に差し込まれて形成されていることを特徴とするケーブル用収納箱。
【請求項４】
請求項１に記載のケーブル用収納箱であって、
前記突起部は、前記外側面に差し込まれた棒体からなることを特徴とするケーブル用収納箱。
【請求項５】
８の字巻きしたケーブルを収納するケーブル用収納箱から余分に引き出された余長ケーブルを、請求項１から４の何れか一項に記載のケーブル用収納箱に設けられた前記突起部に巻き付けて保持することを特徴とする余長保持方法。
【請求項６】
請求項５に記載の余長保持方法であって、
前記余長ケーブルを前記突起部に８の字巻きして保持することを特徴とする余長保持方法。
【発明の詳細な説明】
【技術分野】
【０００１】
本発明は、ケーブル用収納箱及びこれを用いた余長収納方法に関する。
【背景技術】
【０００２】
主に室内に布設されるＬＡＮケーブル、インドア用光ケーブルなどの比較的細径のケーブルの収納に、８の字巻きしたケーブルを収納するケーブル用収納箱が用いられている。このケーブル用収納箱は、ケーブルを絡めずに引き出しやすい、いわゆる８の字巻きしたケーブルの状態で収納するもので、一つの面に形成された穴からケーブルが引き出されて布設されるようになっている。このケーブル用収納箱は、使用後つまりケーブルがなくなった後に廃棄が容易となるようにダンボールを主体として形成されている（例えば、特許文献１，２参照）。
【先行技術文献】
【特許文献】
【０００３】
【特許文献１】特許第３９８６０６７号公報
【特許文献２】特開２００１−６３７８４号公報
【発明の概要】
【発明が解決しようとする課題】
【０００４】
上記ケーブル用収納箱においては、室内にケーブルを布設し終わった後、ケーブルを箱から余分に引き出した余長（例えば、５〜１０ｍ程度）が残ることがある。ケーブル用収納箱においては、この余長を箱の中に押し込んでしまうと、箱の中でケーブルが絡まってしまい、次に引き出そうとしてもスムーズに引き出せなかったり、ケーブルにキンク（折れ曲がり）が発生したりして、ケーブルが光ケーブルである場合は断線に至るなどのトラブルの原因となる。このため、布設作業後は箱の近傍でケーブルを切断し、余長は廃棄することとしている。しかしながら、このように余長を廃棄すると、資源の無駄になり、ネットワーク構築コストが増大してしまう。
【０００５】
そこで、本発明は、ケーブルの絡まりを防止しつつ簡便に余長を保持することにより、余長の有効活用を可能にし、資源の有効活用及びネットワーク構築コストを低減することができる、８の字巻きしたケーブルを収納するケーブル用収納箱及びこれを用いた余長収納方法を提供することを目的とする。
【課題を解決するための手段】
【０００６】
上記課題を解決することのできる本発明のケーブル用収納箱は、８の字巻きしたケーブルを収納するケーブル用収納箱であって、
外側面の少なくとも一つに、余分に引き出された余長ケーブルを巻き付け可能な複数の突起部が設けられていることを特徴とする。
【０００７】
本発明に係るケーブル用収納箱において、前記突起部は、前記外側面に施された切れ目を起こした切り起こし部からなることが好ましい。
【０００８】
本発明に係るケーブル用収納箱において、前記突起部は、立体的に折り曲げられた前記切り起こし部の一部が前記外側面に形成されたスリットまたは孔に差し込まれて形成されていることが好ましい。
【０００９】
本発明に係るケーブル用収納箱において、前記突起部は、前記外側面に差し込まれた棒体からなることが好ましい。
【００１０】
また、本発明に係る余長保持方法は、８の字巻きしたケーブルを収納するケーブル用収納箱から余分に引き出された余長ケーブルを、上記の何れかのケーブル用収納箱に設けられた前記突起部に巻き付けて保持することを特徴とする。
【００１１】
本発明に係る余長保持方法において、前記余長ケーブルを前記突起部に８の字巻きして保持することが好ましい。
【発明の効果】
【００１２】
本発明のケーブル用収納箱によれば、その外側面の少なくとも一つに設けられた複数の突起部に、余分に引き出された余長ケーブルを順に巻き付けて保持することで、複数の突起部によって余長ケーブルの保持状態を維持することができる。よって、ケーブルの絡まりを防止しつつ簡便に余長ケーブルを保持することができて保持作業が容易となり、また、余長ケーブルの取り出し作業も突起部から外せば良いため容易となる。したがって、余長ケーブルを切断して廃棄する必要がなくなることから、余長ケーブルの有効活用を可能にし、資源の有効活用及びネットワーク構築コストを低減することができる。
【００１３】
本発明の余長保持方法によれば、ケーブル用収納箱に設けられた複数の突起部に、余分に引き出された余長ケーブルを順に巻き付けて保持することで、複数の突起部による余長ケーブルの保持状態を維持することができる。よって、ケーブルの絡まりを防止しつつ簡便に余長ケーブルをケーブル用収納箱に保持することができて保持作業が容易となり、また、余長ケーブルの取り出し作業も突起部から外せば良いため容易となる。したがって、余長ケーブルを切断して廃棄する必要がなくなることから、余長ケーブルの有効活用を可能にし、資源の有効活用及びネットワーク構築コストを低減することができる。
【図面の簡単な説明】
【００１４】
【図１】本発明に係るケーブル用収納箱の一実施形態の側断面図である。
【図２】ケーブル用収納箱の余長ケーブル保持前の斜視図である。
【図３】ケーブル用収納箱の余長ケーブル保持状態の斜視図である。
【図４】ケーブル用収納箱の変形例を示す斜視図である。
【図５】ケーブル用収納箱の余長ケーブル保持前の斜視図である。
【図６】ケーブル用収納箱の余長ケーブル保持状態の斜視図である。
【図７】ケーブル用収納箱の余長ケーブル保持前の斜視図である。
【図８】ケーブル用収納箱の余長ケーブル保持状態の斜視図である。
【発明を実施するための形態】
【００１５】
（第１実施形態）
以下、本発明の第１実施形態について図１から図３を参照して説明する。
図１はケーブル用収納箱の側断面図、図２はケーブル用収納箱の余長ケーブル保持前の斜視図、図３はケーブル用収納箱の余長ケーブル保持状態の斜視図である。
【００１６】
図１及び図２に示すように、ケーブル用収納箱１１は外形が直方体形状とされている。このケーブル用収納箱１１は、外形を形成する直方体形状の箱本体１２と、箱本体１２内に設けられた板状の支持部材１３とを有している。これら箱本体１２及び支持部材１３はダンボールで形成されている。箱本体１２内には、主に室内に布設されるＬＡＮケーブル、インドア用光ケーブルなどの比較的細径のケーブル１５が、いわゆる８の字巻きした円環状の８の字束ケーブル１５Ａの状態で収納されている。
【００１７】
箱本体１２の一つの外側面１２ａには、引き出し穴１７が形成されており、この引き出し穴１７には、プラスチック材料などで形成されたテーパ筒状の取り出し口１８が嵌合されている。この取り出し口１８は、箱本体１２内において８の字束ケーブル１５Ａを半径方向に貫通しており、円環状の８の字束ケーブル１５Ａの内周側からケーブル１５が取り出し口１８の内側を通って箱本体１２の外側に引き出されるようになっている。なお、支持部材１３は、箱本体１２の引き出し穴１７が形成された外側面１２ａに近接して設けられており、取り出し口１８を支持する。
【００１８】
第１実施形態においては、図２に示すように、箱本体１２の外側面の少なくとも一つである、引き出し穴１７が形成された外側面１２ａにおける引き出し穴１７の周囲に、複数の突起部２０が間隔をあけて設けられている。
これら突起部２０は、外側面１２ａに引き出し穴１７側が連結された切れ目２１を施し、この切れ目２１を手前に起こした切り起こし部２２からなるもので、先端側が幅広形状とされている。
【００１９】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを図３に示すように複数の突起部２０に対して順に引っ掛けながら巻き付ける。このようにすると、余長ケーブル１５Ｂがケーブル用収納箱１１の外側面１２ａに、円環状に束ねられた状態に保持される。
なお、箱本体１２の外側面１２ａには、Ｘ字状あるいは十字状のスリット２３が形成されており、ケーブル用収納箱１１に突起部２０で保持された余長ケーブル１５Ｂの端部がこのスリット２３に差し込まれて係止される。なお、余長ケーブル１５Ｂの端部は、ケーブル収納箱１１の外面に接着テープによって貼り付けても良い。
【００２０】
また、このようにケーブル用収納箱１１に保持された余長ケーブル１５Ｂを次の布設作業で使用する場合には、突起部２０に巻き付けた余長ケーブル１５Ｂを解くことにより、保持を解除すれば良い。
【００２１】
以上に述べた第１実施形態によれば、ケーブル用収納箱１１の外側面の少なくとも一つである外側面１２ａに設けられた複数の突起部２０に、余分に引き出された余長ケーブル１５Ｂを巻き付けるだけで余長ケーブル１５Ｂを保持し、突起部２０における余長ケーブル１５Ｂの保持状態を維持することができる。よって、余長ケーブル１５Ｂの長短に拘わらずケーブル１５の絡まりを防止しつつ簡便に余長ケーブル１５Ｂを保持することができて保持作業が容易となる。また、余長ケーブル１５Ｂの取り出し作業も突起部２０に巻き付けた余長ケーブル１５Ｂを解けば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００２２】
また、箱本体１２の外側面１２ａに切れ目２１を形成して切り起こし部２２を手前に起こして突起部２０としたので、別部材を用いることによるコストアップがなく、しかも、ケーブル１５を収納する箱本体１２に対して突起部２０が一体に設けられているため、突起部２０を紛失してしまうことがなくなる。しかも、ケーブル布設作業の際には、ケーブル用収納箱１１だけを運搬すれば良く、作業がさらに容易になる。
【００２３】
また、各突起部２０は、その先端側が幅広形状とされているので、巻き付けた余長ケーブル１５Ｂが突起部２０に良好に係止される。これにより、巻き付けた余長ケーブル１５Ｂの突起部２０からの脱落を防止し、保持状態を良好に維持することができる。
【００２４】
図４に示すものは、引き出し穴１７が形成された外側面１２ａではなく、外側面１２ａと隣り合う外側面１２ｂに複数の突起部２０を形成したケーブル用収納箱１１である。
このケーブル用収納箱１１では、ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを上下の中間にて交差させながら余長ケーブル１５Ｂを突起部２０に８の字巻きして巻き付ける。これにより、余長ケーブル１５Ｂは、突起部２０に８の字状に巻き付けられた状態にてケーブル用収納箱１１の外側面１２ｂに保持される。
【００２５】
また、このようにケーブル用収納箱１１に保持された余長ケーブル１５Ｂを次の布設作業で使用する場合には、突起部２０から余長ケーブル１５Ｂを解いて、余長ケーブル１５Ｂの保持を解除する。
このとき、余長ケーブル１５Ｂは、突起部２０に８の字巻きにて保持されているため、余長ケーブル１５Ｂを繰り出して使用する際に絡まりにくくなり、より簡単に作業できることになる。
【００２６】
なお、引き出し穴１７が形成された外側面１２ａに突起部２０を有するケーブル用収納箱１１においても、突起部２０に余長ケーブル１５Ｂを８の字巻きして巻き付けて保持させても良い。
【００２７】
（第２実施形態）
次に、本発明の第２実施形態について図５及び図６を参照して、第１実施形態との相違部分を中心に説明する。
図５はケーブル用収納箱の余長ケーブル保持前の斜視図、図６はケーブル用収納箱の余長ケーブル保持状態の斜視図である。
【００２８】
第２実施形態においては、図５に示すように、外側面１２ａに形成されたそれぞれの切れ目３１の近接位置に、スリット３２が形成されている。また、このケーブル用収納箱１１では、それぞれの切り起こし部３３に、引き出し穴１７に対して外周へ向かって突出する突出部３３ａが形成されている。
【００２９】
このケーブル用収納箱１１では、切り起こし部３３を手前に起こし、さらに折り返すとともに、突出部３３ａの頂点を境に外方へ突出するように折り曲げて山部３３ｂを形成し、切り起こし部３３の端部をスリット３２に差し込む。
このようにすると、図６に示すように、山部３３ｂが外方へ突出した立体形状の複数の突起部３４が形成される。
【００３０】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを図６に示すように複数の突起部３４に対して順に引っ掛けながら巻き付ける。このようにすると、余長ケーブル１５Ｂがケーブル用収納箱１１の外側面１２ａに、円環状に束ねられた状態に保持される。
なお、余長ケーブル１５Ｂの端部は、外側面１２ａに形成されたＸ字状あるいは十字状のスリット２３に差し込むことにより係止させる。なお、余長ケーブル１５Ｂの端部は、ケーブル収納箱１１の外面に接着テープによって貼り付けても良い。
【００３１】
また、このようにケーブル用収納箱１１に保持された余長ケーブル１５Ｂを次の布設作業で使用する場合には、突起部３４に巻き付けた余長ケーブル１５Ｂを解くことにより、保持を解除すれば良い。
【００３２】
以上に述べた第２実施形態によれば、ケーブル用収納箱１１の外側面の少なくとも一つである外側面１２ａに設けられた複数の突起部３４に、余分に引き出された余長ケーブル１５Ｂを巻き付けるだけで余長ケーブル１５Ｂを保持し、突起部３４における余長ケーブル１５Ｂの保持状態を維持することができる。よって、余長ケーブル１５Ｂの長短に拘わらずケーブル１５の絡まりを防止しつつ簡便に余長ケーブル１５Ｂを保持することができて保持作業が容易となる。また、余長ケーブル１５Ｂの取り出し作業も突起部３４に巻き付けた余長ケーブル１５Ｂを解けば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００３３】
また、箱本体１２の外側面１２ａに切れ目３１を形成して切り起こし部３３を起こして突起部３４としたので、別部材を用いることによるコストアップがなくい。しかも、ケーブル１５を収納する箱本体１２に対して突起部３４が一体に設けられているため、突起部３４を紛失してしまうことがなくなる。しかも、ケーブル布設作業の際には、ケーブル用収納箱１１だけを運搬すれば良く、作業がさらに容易になる。
【００３４】
また、各突起部３４は、切り起こし部３３を折り曲げることにより山部３３ｂを有する立体的形状に形成されているので、繰り返しの使用に対しても十分な強度を確保することができ、保持状態を良好に維持することができる。
【００３５】
また、各突起部３４は、外周側へ突出する突出部３３ａを有するので、巻き付けた余長ケーブル１５Ｂが突起部３４に良好に係止される。これにより、巻き付けた余長ケーブル１５Ｂの突起部３４からの脱落を防止し、保持状態を良好に維持することができる。
なお、上記の突起部３４を、山部３３ｂを有する断面視三角形状としたが、この三角形状に限らず、断面視台形状等であっても良い。
また、切り起こし部３３の端部をスリット３２に差し込む構造としたが、スリット３２に代えて孔を形成し、この孔に切り起こし部３３の端部を差し込む構造としても良い。
【００３６】
（第３実施形態）
次に、本発明の第３実施形態について図７及び図８を参照して、第１実施形態との相違部分を中心に説明する。
図７はケーブル用収納箱の余長ケーブル保持前の斜視図、図８はケーブル用収納箱の余長ケーブル保持状態の斜視図である。
【００３７】
第３実施形態においては、図７に示すように、外側面１２ａにおける引き出し穴１７の周囲に、棒体４１からなる複数の突起部４２が間隔をあけて設けられている。
これら突起部４２を構成する棒体４１は、その先端部に、大径とされた係止部４１ａを有しており、それぞれ外側面１２ａに突き刺して接着剤によって固定されている。
【００３８】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを、図８に示すように、複数の突起部４２に対して順に引っ掛けながら巻き付ける。このようにすると、余長ケーブル１５Ｂがケーブル用収納箱１１の外側面１２ａに、円環状に束ねられた状態に保持される。
なお、余長ケーブル１５Ｂの端部は、外側面１２ａに形成されたＸ字状あるいは十字状のスリット２３に差し込むことにより係止させる。なお、余長ケーブル１５Ｂの端部は、ケーブル収納箱１１の外面に接着テープによって貼り付けても良い。
【００３９】
また、このようにケーブル用収納箱１１に保持された余長ケーブル１５Ｂを次の布設作業で使用する場合には、突起部４２に巻き付けた余長ケーブル１５Ｂを解くことにより、保持を解除すれば良い。
【００４０】
以上に述べた第３実施形態によれば、ケーブル用収納箱１１の外側面の少なくとも一つである外側面１２ａに設けられた複数の突起部４２に、余分に引き出された余長ケーブル１５Ｂを巻き付けるだけで余長ケーブル１５Ｂを保持し、突起部４２における余長ケーブル１５Ｂの保持状態を維持することができる。よって、余長ケーブル１５Ｂの長短に拘わらずケーブル１５の絡まりを防止しつつ簡便に余長ケーブル１５Ｂを保持することができて保持作業が容易となる。また、余長ケーブル１５Ｂの取り出し作業も突起部４２に巻き付けた余長ケーブル１５Ｂを解けば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００４１】
また、ケーブル１５を収納する箱本体１２に対して別体の棒体４１を差し込んで突起部４２としているため、余長ケーブル１５Ｂを任意の場所に保持させることができる。しかも、突起部４２が劣化して十分な強度を保てなくなってしまった場合に、突起部４２を構成する棒体４１を交換することができる。
【００４２】
また、箱本体１２と突起部４２とを異なる材料で形成できるため、箱本体１２をダンボールで形成するのに対して、突起部４２をこれより強度の高いプラスチック材料などで形成することによって突起部４２の強度低下を防止することができる。
【００４３】
また、各突起部４２は、その先端部に大径の係止部４１ａを有するので、巻き付けた余長ケーブル１５Ｂが突起部４２に良好に係止される。これにより、巻き付けた余長ケーブル１５Ｂの突起部４２からの脱落を防止し、保持状態を良好に維持することができる。
【００４４】
なお、第２実施形態及び第３実施形態のケーブル用収納箱１１においても、突起部３４，４２に余長ケーブル１５Ｂを８の字巻きして巻き付けて保持させても良い。
【符号の説明】
【００４５】
１１：ケーブル用収納箱、１２ａ，１２ｂ：外側面、１５：ケーブル、１５Ａ：８の字束ケーブル、１５Ｂ：余長ケーブル、２０，３４，４２：突起部、２１，３１：切れ目、２２，３３：切り起こし部、３２：スリット、４１：棒体
【図１】
2010168092.tif 000003
【図２】
2010168092.tif 000004
【図３】
2010168092.tif 000005
【図４】
2010168092.tif 000006
【図５】
2010168092.tif 000007
【図６】
2010168092.tif 000008
【図７】
2010168092.tif 000009
【図８】
2010168092.tif 000010